(57)【特許請求の範囲】
【請求項１】
一枚の基材からなり、その裏面側同士が重なるように折り返された後、表面側同士が重なるように折り返され、かつ、この状態でその端部同士が接着されることによって封書状に形成されるメールフォームと、
前記メールフォームの表面であって、前記折り返された状態で重なる面部の一方に接着され、かつ、前記メールフォームと共に折り畳まれた状態で前記封書状に形成されたメールフォームに封入された封入物と
を備える封書であって、
前記メールフォームは、前記封書状に形成された状態でその端部に沿って形成された帯状の領域と該帯状の領域を除く他の領域との間に形成された開封用ミシン目を備え、
前記封入物は、前記メールフォームに封入された状態で前記開封用ミシン目に重なる位置に切離用ミシン目を備え、この切離用ミシン目から見た一方の領域が前記メールフォームの前記帯状の領域を形成する部分に接着され、他方の領域が前記メールフォームに接着されていないこと
を特徴とする封書。
【請求項２】
請求項１に記載の封書において、
前記封入物の前記切離用ミシン目から見た前記他方の領域は、封筒状に形成されていること
を特徴とする封書。
【発明の詳細な説明】
【０００１】
本発明は、一枚の基材に宛名等を印字し、その基材を折り返すこと等で、郵送等の送付が可能になる封書に関するものである。
【０００２】
【従来の技術】
従来、この種の封書としては、一枚の基材からなるメールフォームを折り畳んで作製される封書があった。
図１１は、折り畳まれて封書になるメールフォームの従来例を示す平面図である。図１１中、（ａ）は表面図、（ｂ）は裏面図を示す。
このメールフォーム７０は、基材７１と、基材７１上の所定領域に設けられた接着領域７３等を備える。基材７１には、折り返し可能なミシン目７２（７２ａ〜７２ｅ）が形成されており、これらのミシン目７２によって図中上下方向に連続する６つの基材部７１ａ〜７１ｆに区分されている。各基材部７１ａ〜７１ｆには、全ての顧客に対して共通する共通情報（図示せず）が予め印刷されており、さらに、顧客の宛名等を印字する印字領域（図示せず）を有している。また、接着領域７３（７３ａ〜７３ｅ）は、基材部７１ａ〜７１ｆ同士が圧着されると、両者を剥離可能に接着させる接着力を有するものである。接着領域７３は、基材７１上の図中斜線部領域に示す位置に設けられている。
【０００３】
先ず、メールフォーム７０の基材７１の印字領域には、顧客の宛名等がプリンタによって印字される。そして、基材７１は、各ミシン目７２ａ〜７２ｅから折り返される。各ミシン目７２ａ〜７２ｅは、それぞれ交互に反対方向に折り返される。すなわち、ミシン目７２ａ、７２ｃ、及び７２ｅは、それぞれ基材部７１ａと７１ｂ、７１ｃと７１ｄ、及び７１ｄと７１ｅの表面側同士が密着するように折り返される。ミシン目７２ｂ、及び７２ｄは、それぞれ基材部７１ｂと７１ｃ、及び７１ｄと７１ｅの裏面側同士が密着するように折り返される。
【０００４】
これが加圧されると、基材部７１ａと７１ｂとは、接着領域７３ａにより、ミシン目７２ａ以外の３辺の外縁部の領域で剥離可能に接着される。同様に、基材部７１ｂと７１ｃ、７１ｃと７１ｄ、７１ｄと７１ｅ、及び７１ｅと７１ｆは、それぞれ接着領域７３ｂ、７３ｃ、７３ｄ、及び７３ｅにより、それぞれミシン目７２ｂ、７２ｃ、７２ｄ、及び７２ｅ以外の３辺の外縁部の領域で剥離可能に接着される。これにより、メールフォーム７０が封止され、郵送等の送付可能な封書７となる。この封書７は、顧客に発送される。なお、この封書７は、折りたたまれた基材部７１ａ〜７１ｆの全ての外縁部が接着されているので、内部に印刷又は印字された内容等が見えることはない。
【０００５】
封書７の受取人は、各接着領域７３を剥離して、封書７を開封、すなわち図１１の状態に再度展開することができ、印刷，印字された内容を見ることができる。以上のようにしてダイレクトメール等を発送すれば、印刷物を封筒に封入する必要がなくなり、コストの低減を図ることができる。
【０００６】
【発明が解決しようとする課題】
しかし、前述の従来の封書７では、その基材７１が縦長となってしまうので、読みにくいという問題があった。ここに、折りたたまれた基材７１を展開したときは、基材７１が正方形に近い形態である方が読みやすいというニーズが多い。また、封書７の外縁部は、接着領域７３により剥離可能に接着されているため、完全接着（剥離不能に接着）されているものよりも接着強度が弱い。そのため、送付の途中で封書７に過負荷が加わると、自然剥離してしまう可能性が高く、重要な個人情報を印字する親展封書等に使用されることは、無かった。
【０００７】
上記のような問題を解決するために、本願出願人より、メールフォーム８０を折り畳んで作製される封書８が提案されている。
図１２は折り畳まれて封書になるメールフォームの一例を示す平面図である。図１２中、（ａ）は表面図、（ｂ）は裏面図を示す。
メールフォーム８０は、基材部を図中横方向にも連接し、剥離不能に封書を封緘する封緘領域ｉ，ｊと、開封時に切り離すミシン目８４ａから８４ｄとを備えるメールフォームであり、開封したときに正方形に近い形態であって読みやすく、かつ、送付の途中で剥離してしまうおそれを防止している。
このようなメールフォーム８０を用いて封書８を作製すれば、送付の途中で剥離してしまうおそれがないので、予め、重要な個人情報を印字した基材部を備えるメールフォームを用いたものも多く使用できる。
【０００８】
メールフォーム８０は、受取人が切り取って所定事項を記載する申込書部８７が形成されている。申込書部８７の表面には、予め、受取人の負担軽減のために、個人情報が印字されている。また、その裏面には、返送先の宛名８７−１等が印刷されている。さらに、メールフォーム８０の基材８１の両面の所定領域には、例えば宣伝広告８１−２等が印刷されている。
メールフォーム８０の表面の所定領域には、宛名印字領域８１ａ−１が形成されており、受取人の宛名が印字されている。
メールフォーム８０は、折り畳まれて封止され、封書８が作製される。
【０００９】
封書８の受取人は、封書８を開封して、メールフォーム８０の状態に展開し、印刷された宣伝広告８１−２等を見る。そして、受取人が申し込みを希望する場合は、申込書部８７を切り離して、必要事項を記入した後、申込書部８７の裏面に印刷された返送先の宛名８７−１が外側に露出するように、申込書部８７を折り畳んで糊付けして、封書状にして返送する。
【００１０】
しかし、封書８では、受取人が申し込むときに、切り離した申込書部８７を封書状にする作業は非常に手間のかかる作業である。すなわち、申込書部８７を封書状にするために、受取人は糊を用意して、所定位置にのみ糊を塗布し、指示通りに折り畳まなければならない。
このような作業は、返送率を悪化させる原因の一つになる。
また、申込書部８７を封書状にするための糊付けが悪いと、返送途中で剥がれて開いてしまうという可能性もある。
【００１１】
一方、封書８の受取人が容易に返送できるように、自動封入機を使用して返送用封筒を封書８に封入する方法も考えられる。しかし、封書８は、容易に展開できるように、一部が弱接着されて作製されているので、返送用封筒封入時に封書８の挿入口を開くと弱接着部が剥がれてしまい、返送用封筒の封入ができないという新たな問題が発生する。
【００１２】
本発明の課題は、一枚の基材からなるメールフォームを折り畳んで作製される封書であって、返送用封筒などを封入可能な封書及びその封書の作製に適した封書作製装置を提供することである。
【００１３】
【課題を解決するための手段】
前記課題を解決するために、請求項１の発明は、一枚の基材からなり、その裏面側同士が重なるように折り返された後、表面側同士が重なるように折り返され、かつ、この状態でその端部同士が接着されることによって封書状に形成されるメールフォーム（２０）と、前記メールフォームの表面であって、前記折り返された状態で重なる面部の一方に接着され、かつ、前記メールフォームと共に折り畳まれた状態で前記封書状に形成されたメールフォームに封入された封入物とを備える封書（４０）であって、前記メールフォームは、前記封書状に形成された状態でその端部に沿って形成された帯状の領域（ｉ）と該帯状の領域を除く他の領域との間に形成された開封用ミシン目（４０ｂ）を備え、前記封入物は、前記メールフォームに封入された状態で前記開封用ミシン目に重なる位置に切離用ミシン目を備え、この切離用ミシン目から見た一方の領域が前記メールフォームの前記帯状の領域を形成する部分に接着され、他方の領域が前記メールフォームに接着されていないことを特徴とする封書である。
【００１４】
請求項２の発明は、請求項１に記載の封書において、前記封入物（４０）の前記切離用ミシン目（４０ｂ）から見た前記他方の領域は、封筒状に形成されていることを特徴とする封書である。
【００２０】
【発明の実施の形態】
以下、図面等を参照して、本発明の実施の形態について、さらに詳しく説明する。
（第１実施形態）
図１は、本発明の第１実施形態である封書を作製するためのメールフォームの正面図である。図（ａ）は表面図、図（ｂ）は裏面図を示す。
【００２１】
メールフォーム２０の基材２１は、例えば連量７０Ｋｇ程度の上質紙から形成されている。基材２１には、折り適性を有するものが選定される。基材２１の両面側の所定領域には、例えば宣伝広告２１−２等が印刷されている。また、基材２１の表面側の所定領域には、受取人が切り取って所定事項を記載する申込書２７が形成され、さらに、別の所定領域には、その申込書の記入例２１−３が印刷されている。
【００２２】
基材２１には、後に折り返しされる折り返しライン２２並びに２３ａ、２３ｂ及び２３ｃが設けられている。
これらの折り返しライン２２並びに２３ａ、２３ｂ及び２３ｃにより、基材２１の領域は、基材部２１ａ〜２１ｈに区分されている。
折り返しライン２２は、基材２１の領域を図中左右方向に２つに区分するラインである。また、折り返しライン２３ａ、２３ｂ及び２３ｃは、折り返しライン２２と直交するラインであり、基材２１の領域を４つに区分するラインである。
【００２３】
基材２１の折り返しライン２２と平行な１辺（図１（ａ）中、左辺）の近傍には、裁断可能なミシン目２４ａが設けられている。また、ミシン目２４ａと直交する１辺（図１（ａ）中、上辺）には、３本の平行なミシン目２４ｂ、２４ｃ及び２４ｄが設けられている。
【００２４】
ここで、ミシン目２４ａと折り返しライン２２との間の長さと、折り返しライン２２と図１（ａ）中、右辺との間の長さとは、略同一となるように設定される。さらに、ミシン目２４ｂと折り返しライン２３ｂとの間の長さと、折り返しライン２３ｂと２３ａとの間の長さと、折り返しライン２３ａと２３ｃとの間の長さと、折り返しライン２３ｃと図１（ａ）中下辺との間の長さとは、略同一となるように設定される。
【００２５】
基材部２１ａの表面側には、封書２の受取人の宛名等を印字するための印字領域２１ａ−１が設けられている。この基材部２１ａの表面側は、メールフォーム２０が封止されて、封書２の完成時に、外面となる部分である。
【００２６】
基材部２１ｆ〜２１ｈは、受取人によって切り取られて、申込書２７となる基材部である。この申込書の表面には、受取人、すなわち申込人の氏名等が予め印字されている。この印字は、印字領域２１ａ−１に封書２の受取人の宛名等を印字するときに一緒に印字される。
【００２７】
一方、基材２１の表面及び裏面には、接着領域２５（２５ａ〜２５ｆ；図１中斜線部領域）及び２６（２６ａ〜２６ｃ；図１中、×印領域）が設けられる。これらの接着領域２５及び２６は、予め設けられているのではなく、メールフォーム２０が折りたたまれるときに設けられるものである。接着領域２５は、基材２１同士を剥離不能に強接着するものである。また、接着領域２６は、基材２１同士を剥離可能に弱接着するものである。
【００２８】
基材２１の表面側において、接着領域２５ｂ−１は、折り返しライン２２の右側かつミシン目２４ｃの上側の領域に設けられる。接着領域２５ｂ−２は、基材部２１ｂの折り返しライン２３ａ近傍に設けられる。接着領域２５ｃ−１は、基材部２１ｃのミシン目２４ａの外側領域に設けられる。接着領域２５ｃ−２は、基材部２１ｄのミシン目２４ａの外側領域に設けられる。
また、接着領域２６ａ−１は、基材部２１ｆの折り返しライン２２近傍の領域に設けられる。接着領域２６ａ−２は、基材部２１ｇの折り返しライン２２近傍の領域に設けられる。接着領域２６ｂ−１は、基材部２１ｅの折り返しライン２２近傍の領域に設けられる。接着領域２６ｂ−２は、基材部２１ｈの折り返しライン２２近傍の領域に設けられる。接着領域２６ｃ−１は、基材部２１ｃの折り返しライン２２近傍に設けられる。接着領域２６ｃ−２は、基材部２１ｄの折り返しライン２２近傍に設けられる。
【００２９】
なお、接着領域２６の領域には、予めニス等を塗布しておき、メールフォーム２０の加工時に接着剤を塗布する方式が採られる。これは、ニス等により接着剤の接着力を弱めて、基材２１同士を剥離可能に接着するためである。
【００３０】
一方、基材２１の裏面側において、接着領域２５ａ−１は、折り返しライン２２とミシン目２４ａとの間かつミシン目２４ｃの上側の領域に設けられる。接着領域２５ａ−２は、折り返しライン２２の左側かつミシン目２４ｃの上側の領域に設けられる。接着領域２５ｄ−１は、基材部２１ａのミシン目２４ａの外側領域に設けられる。接着領域２５ｄ−２は、基材部２１ｄのミシン目２４ａの外側領域に設けられる。接着領域２５ｅ−１は、基材部２１ｂのミシン目２４ａの外側領域に設けられる。接着領域２５ｅ−２は、基材部２１ｃのミシン目２４ａの外側領域に設けられる。接着領域２５ｆ−１は、ミシン目２４ｃの上側かつミシン目２４ａの外側に設けられる。
【００３１】
次に、本実施形態の封書２をメールフォーム２０を用いて作製する方法を説明する。図２〜図６は、メールフォーム２０の折り返しの説明図、図７は、基材２１から封書２を作製する封書作製装置２００の加工工程の説明図である。
【００３２】
まず、封書作製装置２００について説明する。
封書作製装置２００は、オートローディングフィーダ２０１と、糊付け機２０２ａ，２０２ｂと、ノズル２０３ａ，２０３ｂ，２０３ｃ，２０３ｄ，２０３ｅと、折り機２０４ａ，２０４ｂと、ミシン目加工機２０５ａ，２０５ｂと、貼付装置２０６と、フラップ折返し機２０７と、プレスローラ２０８と、スタッカー２０９とを備えている。
【００３３】
図８は、封書作製装置２００の貼付装置２０６の斜視図である。
貼付装置２０６は、返信用封筒４０を基材２１に貼付する装置であり、本実施形態では、基材２１が糊付けされるライングリュー工程＃１０５の後に、設けられている。
貼付装置２０６は、ボトムフィーダ２１０と、紙送りローラ２１１とを有している。
ボトムフィーダ２１０は、積まれたものを下から取り出して搬送するユニットであり、紙送りローラ２１１の上で送られ、ノズル２０３ｄ等で接着剤が滴下された基材２１に、返信用封筒４０を落として貼り付ける。この接着の際に使用される接着剤は、ゴム系かつ速乾性の接着剤が好適に用いられる。
紙送りローラ２１１は、図８中手前方向に基材２１を搬送するローラである。
【００３４】
続いて、メールフォーム２０を用いて、本実施形態の封書２を作製する方法を説明する。
基材２１は、最初は連続帳票状であり、この状態で宣伝広告２１−２、申込書の記入例２１−３等が印刷される。さらに、基材部２１ａの印字領域２１ａ−１には、封書２の受取人の宛名等が印字される。それと共に、申込書欄にも、受取人、すなわち申込人の氏名等が印字される。
次に、単帳票に裁断され、基材２１の状態になる。
【００３５】
（給紙工程＃１０１）
基材２１は、裏面（図１（ｂ）面）を上にして、オートローディングフィーダ２０１にセットされ、図１（ｂ）中左方向に、一枚毎に、糊付け機２０２ａに給紙される。
【００３６】
（ライングリュー工程＃１０２）
糊付け機２０２ａに給紙された基材２１は、ノズル２０３ａ等で接着領域２５ａ−１，２５ｆ−１に接着剤が塗布され、折り機２０４ａに送られる。
【００３７】
（折り工程＃１０３）
折り機２０４ａに送られた基材２１は、図２に示すように、折り返しライン２２が折り返される。折り返しライン２２は、基材部２１ａと２１ｅ、基材部２１ｂと２１ｆ、基材部２１ｃと２１ｇ、及び基材部２１ｄと２１ｆとの裏面側同士が重なるように折り返されて、ミシン目加工機２０５ａに送られる。
なお、接着領域２５ａ−１と２５ａ−２は、後の糊加工仕上げ工程＃１１０で加圧されて接着され、この領域においては、基材２１が剥離不能に接着される。
【００３８】
（ミシン工程＃１０４）
ミシン目加工機２０５ａに送られた基材２１は、ミシン目２４ｂ、２４ｃ及び２４ｄが加工され、進行方向を９０°変えて、糊付け機２０２ｂに送られる。
なお、これらのミシン目２４ｂ、２４ｃ及び２４ｄは、予め加工されていてもよい。その場合は、封書作製装置２００でのミシン工程＃１０４は省略できる。
【００３９】
（ライングリュー工程＃１０５）
糊付け機２０２ｂに送られた基材２１は、上側ノズル２０３ｂ等で接着領域２５ｄ−１、２５ｅ−１、２５ｆ−１、２６ａ−１、２６ｂ−１に接着剤が塗布される。また、下側ノズル２０３ｃ等で接着領域２５ｃ−１、２６ｃ−１に接着剤が塗布され、貼付装置２０６に送られる。
【００４０】
（封入物接着工程＃１０６）
貼付装置２０６に送られた基材２１は、図３に示すように、返信用封筒４０が接着される。
すなわち、ノズル２０３ｄ等から基材２１に接着剤が滴下され、その直後に、返信用封筒４０が重ねられて接着される。そして、基材２１は、折り機２０４ｂに送られる。なお、この貼付装置２０６については、後で再度説明する。
この接着の際に使用される接着剤は、ゴム系かつ速乾性の接着剤が好適に用いられる。
【００４１】
（折り工程＃１０７）
折り機２０４ｂに送られた基材２１は、図４に示すように、折り返しライン２３ａが折り返される。また、これと同時に基材２１に接着されている返信用封筒４０も折り返される。折り返しライン２３ａは、基材部２１ｅと２１ｈ、及び基材部２１ｆと２１ｇとの表面側が重なるように折り返される。
なお、接着領域２５ｄ−１と２５ｄ−２は、後の糊加工仕上げ工程＃１１０で加圧されて接着される。また、接着領域２５ｅ−１と２５ｅ−２も、同じく後の糊加工仕上げ工程＃１１０で加圧されて接着される。これらの領域においては、基材２１が剥離不能に接着される。
また、接着領域２６ａ−１と２６ａ−２は、後の糊加工仕上げ工程＃１１０で加圧されて接着される。また、接着領域２６ｂ−１と２６ｂ−２も、同じく後の糊加工仕上げ工程＃１１０で加圧されて接着される。この領域においては、基材２１が剥離可能に接着される。
【００４２】
続いて、基材２１は、図５に示すように、折り返しライン２３ｃ及び２３ｂが、折り返される。折り返しライン２３ｃ及び２３ｂは、基材部２１ｇと２１ｈとの表面側同士が重なるように折り返される。そして、ミシン目・スリット加工機２０５ｂに送られる。
なお、接着領域２５ｃ−１と２５ｃ−２は、後の糊加工仕上げ工程＃１１０で加圧されて接着される。この領域においては、基材２１が剥離不能に接着される。また、接着領域２６ｃ−１と２６ｃ−２も、後の糊加工仕上げ工程＃１１０で加圧されて接着される。この領域においては、基材２１同士が剥離可能に接着される。
【００４３】
（ミシン工程＃１０８）
ミシン・スリット目加工機２０５ｂに送られた基材２１は、ミシン目２４ａが加工され、進行方向を９０°変えて、フラップ折返し機２０７に送られる。
なお、このミシン目２４ａは、予め加工されていてもよい。その場合は、封書作製装置２００でのミシン工程＃１０８は、省略できる。
【００４４】
（封緘工程＃１０９）
フラップ折返し機２０７に送られた基材２１は、図６に示すように、ミシン目２４ｃが折り返されて、封緘される。
すなわち、このミシン目２４ｃが折り返される直前に、基材２１の接着領域２５ｂ−１にノズル２０３ｅ等で接着剤が塗布され、続いて、ミシン目２４ｃは、フラップ折返し機２０７で、ミシン目２４ｃより外側部分と基材部２１ｂの表面側が重なるように折り返される。そして、基材２１は、プレスローラ２０８へ送られる。
なお、接着領域２５ｂ−１及び２５ｆ−１と接着領域２５ｂ−２は、後の糊加工仕上げ工程＃１１０で加圧されて接着される。この領域においては、基材２１が剥離不能に接着される。
【００４５】
（糊加工仕上げ工程＃１１０）
プレスローラ２０８へ送られた基材２１は、ローラで挟んで押さえつけられて、上述の通り、接着領域２５，２６が接着され、封書２が完成し、スタッカー２０９へ送られる。
【００４６】
（排紙工程＃１１１）
スタッカー２０９へ送られた封書２は、封書作製装置２００から排出される。
【００４７】
以上により、基材２１から、封書２が作製される。図９は、作製された封書２を示す図である。図中、（ａ）は表面図を示し、（ｂ）は裏面図を示す。封書２の外面側は、それぞれ基材部２１ａ及び２１ｂの、図１中表面側となる。封書２の内部には、返信用封筒４０が封入されている。この状態で、封書２は、郵送等の送付により受取人に送られる。
【００４８】
ここで、図９（ａ）において、封書２の右辺のみが剥離可能に接着されている部分となり、上辺及び左辺側が剥離不能に接着され、さらに下辺が折り返しライン２３ｂであるので、郵送等の送付途中で自然剥離して、封書２が開封してしまうことはない。
【００４９】
（使用方法）
受取人は、封書２を受け取ると、これを開封する。開封は、図９において、ミシン目２４ａ並びに２４ｂ及び２４ｄを裁断することにより行う。ミシン目２４ａが裁断されると、接着領域２５ｄ同士、接着領域２５ｅ同士、接着領域２５ｃ同士、及び接着領域２５ｆと２５ｂとにより接着されている部分が封書２から分離される。また、ミシン目２４ｂ及び２４ｄが裁断されると、ミシン目２４ｄの外側部分が基材部２５ｂ側に残るともに、ミシン目２４ｂと２４ｄとの間の部分が分離される。
【００５０】
これにより、封書２は、接着領域２６によって剥離可能に接着されている部分のみとなる。よって、受取人は、接着領域２６で接着されている部分を剥離することにより、封書２を開封することができる。
封書２が開封されると、図１で示したような、基材２１が展開されたメールフォーム２０の状態となる。したがって、受取人は、基材２１に印刷等された宣伝広告２１−２等を一覧することができるようになる。
また、受取人、すなわち申込人は、メールフォーム２０から、返信用封筒４０を剥がし、申込書２７を切り離して、記入例２１−３を見ながら、申込書２７に必要事項を記入する。記入が終わったら、申込人は、申込書２７を返信用封筒４０に入れて返送する。
【００５１】
封書２の用途としては、例えば、ガソリンスタンド等の会員申込用のダイレクトメール等に用いることがあげられる。表面側には、申込書欄、記入例等を出力するとともに、裏面側には、キャンペーン案内等を出力する。また、アンケート等にも好適に用いられる。表面側には、アンケート回答欄、記入例等を出力するとともに、裏面側には、アンケート案内等の内容を出力する。
【００５２】
本実施形態によれば、一枚のメールフォーム２０を折り畳んで作製される封書２の内部に返送用封筒４０が封入されているので、返送率の向上が図れる。また、返送用封筒４０はメールフォーム２０と共に折り畳まれて、封書２が作製されているので、返送用封筒４０は、封書２の内部で動くことなく固定されている。さらに、返送用封筒４０は、メールフォーム２０が一回折り畳まれた後に接着されるため、受取人は、封書２を開封途中に返送用封筒４０の存在を確認できる。したがって、受取人が返送用封筒４０の存在を見落とすことがない。さらにまた、開封後にはチラシ感覚でメールフォーム２０を一覧することができるので、メールフォーム２０の見やすさを高めることができる。
【００５３】
（第２実施形態）
図１０は、本発明の第２実施形態である封書を作製するためのメールフォームの正面図である。図１０中、（ａ）は表面図、（ｂ）は裏面図を示す。
なお、前述した第１実施形態と同様の機能を果たす部分には、同一の符号を付して、重複する説明を適宜省略する。
メールフォーム２０−２は、裏面に返信用封筒４０を備えている。
【００５４】
返信用封筒４０は、その一部が基材２１の封緘領域ｉに重なっている。また、返信用封筒４０は、封緘領域ｉ上の接着場所ｋで接着されている。返信用封筒４０は、基材２１に重なったときに、ミシン目２４ｂと重なる位置にミシン目４０ｂを有している。
【００５５】
メールフォーム２０−２で作製された封書２を使用すれば、受取人が封書２を開封するときに、ミシン目２４ｂ及び２４ｄと共にミシン目４０ｂも裁断できて、返信用封筒４０が分離できるので、受取人が返信用封筒４０を剥がす手間が省ける。また、返信用封筒４０は、開封後廃却される封緘領域ｉに接着されているので、開封して展開した後のメールフォーム２０−２に接着剤の残りカス等が残らないので、見た目がよい。
【００５６】
（変形形態）
以上説明した実施形態に限定されることなく、種々の変形や変更が可能であって、それらも本発明の均等の範囲内である。
例えば、封入物は、返信用封筒に限らず、会員カードや折り込み広告等であってもよい。
また、貼付装置２０６は、メールフォーム２０が糊付けされるライングリュー工程＃１０２の後に、設けられていてもよい。
さらに、第２実施形態において、返信用封筒４０は、図１０中、横置きとして封緘領域ｊに重なるものであってもよい。
【００５７】
【発明の効果】
以上詳しく説明したように、請求項１の発明によれば、一枚の基材からなるメールフォームが折り畳まれて作製される封書が、封入物を備えるので、宣伝効果等を高めることができる。また、封入物は、メールフォームと共に折り畳まれているので、封書内で固定されている。さらに、開封時に封入物の一部が切り離されるので、受取人が封入物を剥がす手間が省ける。
【００５８】
請求項２の発明によれば、封筒を備えているので、返送が容易である。
【図面の簡単な説明】
【図１】本発明の第１実施形態である封書を作製するためのメールフォームの正面図である。
【図２】折り返しライン２２が折り返されるときの様子を示す斜視図である。
【図３】返信用封筒をメールフォームに接着する様子を示す斜視図である。
【図４】折り返しライン２３ａが折り返されるときの様子を示す斜視図である。
【図５】折り返しライン２３ｃ及び２３ｂが折り返されるときの様子を示す斜視図である。
【図６】ミシン目２４ｃが折り返されるときの様子を示す斜視図である。
【図７】基材から封書を作製する封書作製装置の加工工程の説明図である。
【図８】封書作製装置の貼付装置の斜視図である。
【図９】作製された封書を示す図である。
【図１０】本発明の第２実施形態である封書を作製するためのメールフォームの正面図である。
【図１１】折り畳まれて封書になるメールフォームの従来例を示す平面図である。
【図１２】折り畳まれて封書になるメールフォームの一例を示す平面図である。
【符号の説明】
２  封書
２０  メールフォーム
２１  基材
２１ａ〜２１ｈ  基材部
２１ａ−１  印字領域
２２  折り返しライン
２３ａ〜２３ｃ  折り返しライン
２４ａ〜２４ｄ  ミシン目
２５ａ〜２５ｆ  接着領域
２６ａ〜２６ｃ  接着領域
２７  申込書
４０  返送用封筒
４０ｂ  ミシン目
２００  封書作製装置
２０６  貼付装置
２１０  ボトムフィーダ
２１１  紙送りローラ
＃１０１  給紙工程
＃１０２  ライングリュー工程
＃１０３  折り工程
＃１０４  ミシン工程
＃１０５  ライングリュー工程
＃１０６  封入物接着工程
＃１０７  折り工程
＃１０８  ミシン工程
＃１０９  封緘工程
＃１１０  糊加工仕上げ工程
＃１１１  排紙工程
【図１】
0004020469.tif 000002
【図２】
0004020469.tif 000003
【図３】
0004020469.tif 000004
【図４】
0004020469.tif 000005
【図５】
0004020469.tif 000006
【図６】
0004020469.tif 000007
【図７】
0004020469.tif 000008
【図８】
0004020469.tif 000009
【図９】
0004020469.tif 000010
【図１０】
0004020469.tif 000011
【図１１】
0004020469.tif 000012
【図１２】
0004020469.tif 000013